(57)【要約】      （修正有）【課題】ダウンライト用照明器具に装着することができる電球形照明光源を提供する。【解決手段】ＬＥＤランプ５は、碗状の器具本体９とソケット１１とを備えるダウンライト用照明器具３に取り付けられる。ＬＥＤランプ５は、ソケット１１に装着される口金を有する本体部１９と、口金を介して給電を受けて発光する複数のＬＥＤ素子を備える発光部１７と、発光部１１７と本体部１９とを連結するケーブル２１とを備え、本体部１９は、器具本体９内でソケット１１への装着が許容される大きさであり、ケーブル２１は、発光部１７が器具本体９の外部に存する状態で、本体部１９のソケット１１への装着を許容する長さを有している。【選択図】図１
2011129359.tif 000002
【特許請求の範囲】
【請求項１】
碗状の器具本体とソケットとを備えるダウンライト用照明器具に取り付けられる電球形照明光源であって、
前記ソケットに装着される口金を有する本体部と、
前記口金を介して給電を受けて発光する１又は複数の発光素子を備える発光部と、
前記発光部と前記本体部とを連結するケーブルと
を備え、
前記本体部は、前記器具本体内で前記ソケットへの装着が許容される大きさであり、
前記ケーブルは、前記発光部が前記器具本体の外部に存する状態で、前記本体部の前記ソケットへの装着を許容する長さを有する
ことを特徴とする電球形照明光源。
【請求項２】
前記本体部は前記発光素子を点灯させる回路ユニットを格納し、
前記発光部は前記発光素子用の給電端子を有し、
前記ケーブルは、前記回路ユニットと前記給電端子とを電気的に接続する配線である
ことを特徴とする請求項１に記載の電球形照明光源。
【請求項３】
前記発光部は前記発光素子を点灯させる回路ユニットを備え、
前記ケーブルは、前記回路ユニットと前記口金とを電気的に接続する配線である
ことを特徴とする請求項１に記載の電球形照明光源。
【請求項４】
前記本体部は、前記ケーブルを巻き取る巻取り手段を有する
ことを特徴とする請求項１〜３の何れか１項に記載の電球形照明光源。
【請求項５】
前記本体部は、当該本体部の中心軸が前記器具本体の中心軸に対して１００度以上１４０度以下の角度傾斜した状態で、前記ソケットに装着される
ことを特徴とする請求項１〜４の何れか１項に記載の電球形照明光源。
【発明の詳細な説明】
【技術分野】
【０００１】
本発明は、ダウンライト用の照明器具に装着されて使用される電球形照明光源に関する。
【背景技術】
【０００２】
照明器具として、天井や壁面に埋設され、壁面や床面の照明を行う、所謂ダウンライト用照明器具（以下、単に、「照明器具」ともいう。）がある。この照明器具は、白熱電球や電球形蛍光ランプ等の光源と電気的に接続され且つ光源を保持するソケットと、ソケットに保持された前記光源から発せられた光を所定方向に反射させる反射板とを備える。なお、ソケットと反射板とは、ソケットが反射板に対して所定位置となるように固定部材により固定されている。
【０００３】
ダウンライト用照明器具に、小型なミニクリプトン電球を光源としたものがある。このミニクリプトンを光源とする照明器具は、ミニクリプトン電球自体が小さいことから、ミニクリプトン電球を格納する空間を小さくすることで、反射板の小型化が図られ、照明器具としても小型化が図られる。
特に近年、ミニクリプトン電球を反射板の中心軸に対して横向きに取付ける構造にして、反射板の中心軸方向の寸法を小さくして、反射鏡の厚み（天井や壁の厚さ方向の寸法である。）を薄くしたタイプもある（非特許文献１参照）。
【０００４】
一方、近年、省エネルギー化や光源取替え回数の削減等を目的として、電球（白熱電球、ミニクリプトン電球、電球形蛍光ランプ等を含む。）に使用されていたソケットに取付けることができ、電球よりも発光効率が高く、しかも長寿命な半導体発光素子（例えば、ＬＥＤ素子である。）を用いた電球形照明光源（以下、「電球形ＬＥＤランプ」ともいう。）が開発されている（特許文献１）。
【先行技術文献】
【特許文献】
【０００５】
【特許文献１】特開２００８−２５１４４４号公報
【非特許文献】
【０００６】
【非特許文献１】http://panasonic-denko.co.jp/Ebox/online_contents/jpegkgm/NL77440K.jpg
【発明の概要】
【発明が解決しようとする課題】
【０００７】
しかしながら、上記の電球形ＬＥＤランプは、ＬＥＤ素子発光用の回路ユニットが必要であること、発光時にＬＥＤ素子の発生する熱による発光効率の低下を防ぐための放熱対策が必要であること等の事情があるため、ミニクリプトン電球と同等或いはそれよりも小さな寸法で同等の明るさを得ることは現時点での技術では困難である。つまり、ミニクリプトン電球よりも大きくなってしまうのである。
【０００８】
このため、ミニクリプトン用の既存のダウンライト用の照明器具に電球形ＬＥＤランプを装着することができないという課題が生じる。
本発明は、このような課題に鑑みてなされたもので、ダウンライト用照明器具に装着することができる電球形照明光源を提供することを目的とする。
【課題を解決するための手段】
【０００９】
上記目的を達成するために、本発明に係る電球形照明光源は、碗状の器具本体とソケットとを備えるダウンライト用照明器具に取り付けられる電球形照明光源であって、前記ソケットに装着される口金を有する本体部と、前記口金を介して給電を受けて発光する１又は複数の発光素子を備える発光部と、前記発光部と前記本体部とを連結するケーブルとを備え、前記本体部は、前記器具本体内で前記ソケットへの装着が許容される大きさであり、前記ケーブルは、前記発光部が前記器具本体の外部に存する状態で、前記本体部の前記ソケットへの装着を許容する長さを有することを特徴としている。
【発明の効果】
【００１０】
本発明に係る電球形照明用光源では、本体部は、器具本体内でソケットへの装着が許容される大きさであり、ケーブルは、発光部が前記器具本体の外部に存する状態で、本体部の前記ソケットへの装着を許容する長さを有しているため、発光部と本体部とを離した状態で、本体部だけを器具本体内のソケットに装着することができ、結果的に電球形照明光源を器具本体のソケットに装着できることとなる。
【００１１】
また、前記本体部は前記発光素子を点灯させる回路ユニットを格納し、前記発光部は前記発光素子用の給電端子を有し、前記ケーブルは、前記回路ユニットと前記給電端子とを電気的に接続する配線であることを特徴とし、或いは、前記発光部は前記発光素子を点灯させる回路ユニットを備え、前記ケーブルは、前記回路ユニットと前記口金とを電気的に接続する配線であることを特徴としている。
【００１２】
また、前記本体部は、前記ケーブルを巻き取る巻取り手段を有することを特徴とし、或いは、前記本体部は、当該本体部の中心軸が前記器具本体の中心軸に対して１００度以上１４０度以下の角度傾斜した状態で、前記ソケットに装着されることを特徴としている。
【図面の簡単な説明】
【００１３】
【図１】実施の形態における照明装置の一部断面図である。
【図２】ＬＥＤランプの構成を説明する図である。
【図３】本体部の構成を説明する図であり、内部の様子が分かるように一部を切り欠いている。
【図４】図３におけるＸ１−Ｘ１線における断面を矢印方向から見た図である。
【図５】図３におけるＸ２−Ｘ２線における断面を矢印方向から見た図である。
【図６】ＬＥＤランプの照明器具への装着方法についての説明図である。
【図７】変形例１に係る照明装置を示す図である。
【図８】変形例１に係る発光部を断面図である。
【図９】変形例２に係る照明装置を示す図である。
【図１０】変形例３に係る照明装置を示す図である。
【図１１】変形例４に係る発光部の変形例を示す図である。
【図１２】変形例５に係る照明装置を示す図である。
【発明を実施するための形態】
【００１４】
以下では、本発明の一例に係る実施の形態について説明する。なお、ここで説明する実施の形態は、本発明の構成及び作用・効果を分かりやすく説明するために用いる一例であって、本発明は、その本質的な特徴部分以外に何ら以下の形態に限定を受けるものではない。
以下、本発明に係る一の電球形照明光源（以下、「ＬＥＤランプ」という。）の実施の形態について、図面を参照しながら説明する。なお、本明細書では、照明装置は、照明器具に光源であるＬＥＤランプを取着したものをいう。
＜第１の実施の形態＞
１．照明装置の構成について
（１）全体構成
図１は実施の形態における照明装置の一部断面図である。なお、図１では内部の構造が分かるように器具本体等の一部を切り欠いている。
【００１５】
照明装置１は、照明器具３とＬＥＤランプ５とを備え、照明装置１の一部（又は全部）が天井７の開口７ａを利用して天井７の裏側に配されることで、天井７から下方を照射する。なお、この照明装置１は、所謂、ダウンライト用である。
（２）照明器具
照明器具３は、器具本体９と、ソケット１１と、器具本体９をソケット１１に固定するための固定部材１３とを備え、ミニクリプトン用の既存の照明器具と同じ構成である。なお、言うまでもなく、照明器具は、ＬＥＤランプ用に製造されたものであっても良い。
【００１６】
器具本体９は、天井７の壁の厚さ方向であって、天井下面側に近づくに従って直径が大きくなる（天井側広がりである。）碗状をしている。つまり、器具本体の９の開口側端と反対の端から開口側端に移るに従って直径が大きくなっている。
なお、照明器具３が既存のダウンライト用の照明器具の場合、器具本体９の内面９ａが反射面として構成されている。この反射面は、例えば、反射用の白色膜の形成や、器具本体が金属材料の場合には鏡面仕上げ加工等により構成される。
【００１７】
ソケット１１は、筒状（例えば、円筒状）をし、その内面がＬＥＤランプ５の口金４５の外観形状に対応した形状をしている。当該口金４５をソケット１１に装着することで、ＬＥＤランプ５の照明器具３への装着を可能とすると共に口金４５と電気的に接続してＬＥＤランプ５に電力を供給する。なお、ソケット１１は、例えば、エジソンタイプ用（例えばＥ１７である。）であり、ミニクリプトン電球を光源として利用する既存の照明器具で採用・使用されている。
【００１８】
ソケット１１は、ソケット１１の中心軸Ｃ１と器具本体９の中心軸Ｃ２との間の角度Ａが１００度となるように、固定部材１３により器具本体９に対して固定されている。角度の基準となる中心軸Ｃ２は、中心軸Ｃ１と中心軸Ｃ２との交点から延伸する２つの線分のうち、照射方向（器具本体９の開口）に向かって延伸している線分である。
固定部材１３は、ここでは、板材をその中間で屈曲させてなる「Ｌ」字状をし、一方の端部１３ａが器具本体９の頂部９ｂにネジ１２により螺着されている。固定部材１３の他方の端部側の表面（器具本体９と対向している面である。）１３ｂにはソケット１１が、裏面１３ｃには商用電源と接続するための接続部１５が、それぞれ取着されている。
（３）ＬＥＤランプ
図２は、ＬＥＤランプ５の構成を説明する図である。
（ａ）全体
ＬＥＤランプ５は、複数のＬＥＤ素子を備える発光部１７と、ソケット１１に装着される口金４５を有する本体部１９と、複数のＬＥＤ素子の全部又は一部を発光させる回路ユニットと、発光部１７と本体部１９とを連結するケーブル２１を備える。なお、回路ユニットは、本体部１９の内部に格納されている。
【００１９】
本体部１９は上記碗状の器具本体９内に収まる大きさであり、本体部１９と発光部１７とが互いに独立して動く。なお、ここでは、口金４５は、ソケット１１に回転されながら装着されるタイプであり、この口金４５の回転の中心軸を回転軸という。
発光部１７と本体部１９とを連結するケーブル２１は可撓性を有するとともに、発光部１７と本体部１９との間隔を変更できるようになっている（この構成は後で説明する。）。これにより、発光部１７と本体部１９との距離を離した状態で、本体部１９だけを器具本体９の内部からソケット１１に装着することができる。
（ｂ）発光部
発光部１７は、１又は複数（ここでは１つである。）のＬＥＤモジュール（発光モジュール）２３と、これ又はこれらを搭載すると共にＬＥＤ素子発光時の熱を放出する放熱板（ヒートシンク）２５と、ケーブル２１の一端を発光部１７側に固定する固定部材２７とからなる。
【００２０】
ＬＥＤモジュール２３は、１又は複数のＬＥＤ素子Ｌｎと、当該ＬＥＤ素子Ｌｎを実装する基板２９と、基板２９の実装面とＬＥＤ素子Ｌｎとを覆う波長変換部材３１とからなる。
ＬＥＤ素子は、光源として必要とされる輝度や光束、光度に対応してその個数、大きさ、仕様、配置位置等が適宜決定され、図２においては、Ｌ１及びＬ２までの２個が現れているが、全体として９個あり、これらをまとめてＬｎ（「ｎ」は、整数である。）として以下説明する。
【００２１】
ＬＥＤ素子Ｌｎは、公知のＬＥＤ素子、例えば、ＩｎＧａＮ系のものが使用され、バンプ、ダイボンド、半田、ワイヤー等により基板２９上の配線パターンに電気的に接続される。なお、本例ではＬＥＤ素子Ｌｎから発せられる光色は青色である。
波長変換部材３１は、ＬＥＤ素子Ｌｎから発せられた光を利用して、ＬＥＤランプ５から所望の光色を出力させるためのものであり、例えば、各ＬＥＤ素子Ｌｎからの光の全部を波長変換したり、各ＬＥＤ素子Ｌｎからの光の一部を波長変換して変換後の光とＬＥＤ素子Ｌｎからの残りの光とで混色させたりする。
【００２２】
ここでの波長変換部材３１は、波長変換する波長変換物質、例えば蛍光体粒子と、光を拡散させる拡散剤、例えばシリカ粉末と、母材として例えば樹脂やセラミックとから構成されている。なお、ここでの波長変換部材３１は、主成分（重量比率で５０（％）以上を占める。）がシリコーン系の樹脂材料であり、蛍光体粒子として黄色発光のものが利用されている。
【００２３】
これにより、ＬＥＤ素子Ｌｎから発せられた青色光は、蛍光体粒子によってその一部が黄色光に変換され、変換後の黄色光とＬＥＤ素子Ｌｎからの青色光とにより、ＬＥＤランプ５から出射される際には白色の混色光となる。
放熱板２５は、器具本体９の開口よりも大きく、ここでは、円板状をしている。なお、放熱性を高めるために、裏面がフィン構造をしていても良い。なお、ここでの放熱板２５は、ＬＥＤモジュール２３の機械的特性（強度・剛性）を補強する機能も有する。
（ｃ）本体部
図３は、本体部の構成を説明する図であり、内部の様子が分かるように一部を切り欠いている。
【００２４】
本体部１９は、図１〜３、特に図３に示すように、筒体４１と、筒体４１の一端を塞ぐ蓋体４３と、筒体４１の他端に装着された口金４５と、筒体４１と蓋体４３とから構成される筐体内に収納された回路ユニット４７及び巻取り手段４９とを備える。
筒体４１は、図３に示すように、両端が開口した筒状、例えば円筒状をし、径の小さな筒部分（以下、「小径筒部分」という。）５１と、小径筒部分５１よりも径の大きな筒部分（以下、「大径筒部分」という。）５３と、小径筒部分５１と大径筒部分５３との間のテーパ状をした筒部分（以下、「テーパ筒部分」という。）５５とを有する。
【００２５】
口金４５は、例えば、エジソンタイプのＥ１７であり、シェル部５５とアイレット部５７とを有する。なお、大径筒部分５３は、小径筒部分５１及び口金４５の各中心軸は設計上一致している（同軸上にある。）。
蓋体４３は、筒体４１の一端を塞ぐと共に筒体４１に対して回転自在に装着されている。
【００２６】
蓋体４３は、同様に図３に示すように、底部分５９と、筒体４１の大径筒部分５３に対応した筒部分６１とを有する有底筒状をしている。なお、筒部分６１の横断面形状は、円環状をし、その外径は、大径筒部分５３の外径と一致している。
ここで、筒体４１と蓋体４３との回転自在な構成について説明する。
蓋体４３は、筒体４１の他端に内嵌する。ここでは、筒体４１及び蓋体４３のうち、一方が回転軸廻り周方向に凹入する嵌合溝を、他方が嵌合溝に嵌合する嵌合突部をそれぞれ有する構造である。つまり、図３に示すように、筒体４１は大径筒部分５３の端部の内周面に中心軸側へと突出する嵌合突部６３を有し、蓋体４３は筒部分６１の端縁の全周に当該筒部分６１の中心軸側に凹入する嵌合溝６５を有している。
【００２７】
これにより、筒体４１の嵌合突部６３が蓋体４３の嵌合溝６５に嵌合されて蓋体４３が筒体４１に装着されると、蓋体４３が筒体４１に対して回転自在となる。
回路ユニット４７は、口金４５を介して供給された交流電力を所定の直流電力に変換して、ＬＥＤ素子Ｌｎを発光させる。回路ユニット４７は、整流ダイオード、平滑コンデンサ、抵抗等の電子部品７１を有し、これらの電子部品７１は、図３に示すように、基板７３に実装されている。
【００２８】
大径筒部分５３における口金４５に近い領域の内周面には、基板７３が挿入される挿入溝７５が形成されている。この挿入溝７５は、大径筒部分５３の全周に形成されている。挿入溝７５の蓋体４３側には係止爪７７ａ，７７ｂが例えば２個形成されており、挿入溝７５に嵌合している基板７３を係止している。
回路ユニット４７と口金４５（シェル部５５とアイレット部５７）とは、図示しない配線により電気的に接続されている。また、回路ユニット４７と発光部１７とはケーブル２１を利用して電気的に接続されている。
【００２９】
図４は、図３におけるＸ１−Ｘ１線における断面を矢印方向から見た図である。
巻取り手段４９は、例えば、ぜんまいばね８１を利用している。この巻取り手段４９は、図３及び図４に示すように、固定軸８３と、固定軸８３に回転自在に取着された中空状の回転体８５と、前記回転体８５内に格納され、一端８１ａが前記固定軸８３に接続されると共に他端８１ｂが回転体８５の内面に接続されたぜんまいばね８１とから構成されている。
【００３０】
固定軸８３は、その一端８３ａが蓋体４３の円環状の突部８７の内側の支持孔で支持され、他端８３ｂが筒体４１の支持板８８に支持されている。なお、固定軸８３は、軸方向の中間で外径が異なっており、この小径部分に回転体８５が回転自在に取着され、径の異なる段差部分で回転体８５における固定軸８３の軸方向への移動を規制している。
回転体８５は、円筒状の胴部８９と、胴部８９の端縁に取着される一対の円板９１，９３とから構成され、胴部８９の外周にケーブル２１が巻回されている。
【００３１】
図５は、図３におけるＸ２−Ｘ２線における断面を矢印方向から見た図である。
円板９１は絶縁材料からなり、その表面には、図５に示す円環状の導電部９３，９５が設けられている。導電部９３，９５は、固定軸８３の中心軸を中心とした同心円状の環状をしている。
導電部９３，９５は、図３及び図５に示すように、回路ユニット４７側と電気的に接続するばね端子９７，９９と接触し、円板９１の裏面でケーブル２１を構成している一対の配線１０１，１０３と接続する。なお、導電部９３，９５は、円板９１を貫通するビア等により円板９１の裏面側の一対の配線１０１，１０３と電気的に接続される。
【００３２】
蓋体４３には、図４に示すように、ケーブル２１を外部へ導出、導入するための貫通孔１０５が形成され、前記ぜんまいばね８１は、ケーブル２１が引き出されると、ケーブル２１を巻き戻す方向に負荷が作用する。
ケーブル２１は、その長さは、発光部１７が器具本体９の外部に存する状態で、本体部１９のソケット１１への装着を許容する長さを有している。具体的には、本体部１９をソケット１１に装着する際に、発光部１７がその装着を妨げない程度の長さであれば良い。
２．ＬＥＤランプの装着方法について
図６は、ＬＥＤランプ５の照明器具３への装着方法についての説明図である。
【００３３】
まず、ＬＥＤランプ５を準備し、本体部１９と発光部１７との距離を離す。具体的には、ケーブル２１を本体部１９から引き出す。そして、この状態を維持して、同図の（ａ）に示すように、本体部１９のみを器具本体９の内部へと挿入して、本体部１９を、図中の矢印方向、つまり、ソケット１１側へと移動させ、ＬＥＤランプ５の口金４５をソケット１１内へと当接させる。
【００３４】
この際、発光部１７は、ケーブル２１を本体部１９から引き出しているので、本体部１９から離れた位置にあり、本体部１９の器具本体９内への挿入及び位置合わせを容易に行うことができる。
次に、器具本体９内に配された本体部１９を、同図の（ｂ）に示すように、口金４５の中心軸を回転中心として同図の矢印方向に回転させる。これにより、口金４５がソケット１１内へと進入し、やがて、同図の（ｃ）に示すように、口金４５の先端のアイレット部５７がソケット１１のアイレット接片に当接し、ＬＥＤランプ５の本体部１９の照明器具３への装着が完了する。
【００３５】
この際、本体部１９は、発光部１７に対して、独立して回転できるため、本体部１９を器具本体９内で回転させても、発光部１７は回転することがないので、発光部１７が器具本体９の内面に接触することがない。
さらに、蓋体４３が筒体４１に対して回転自在となっているため、ケーブル２１の本体部１９からの引き出し位置を変えることなく、つまり、同図の（ａ）に示す状態を維持したままで、筒体４１を回転させることができるので、本体部１９のソケット１１への装着を容易に行うことができる。
【００３６】
また、発光部１７は本体部１９から離れた位置にあるため、本体部１９の器具本体９内での本体部１９の回転をスムーズに行うことができる。
そして、最後に、本体部１９から引き出したケーブル２１を徐々に本体部１９内に巻き取り、放熱板２５が器具本体９の鍔部分９ｃに当接させて、ＬＥＤランプ５の照明器具３への装着が完了する。
＜変形例＞
１．発光部
発光部は上記実施の形態における発光部１７に限定するものでなく、例えば、以下の発光体であっても良い。
（１）形状
実施の形態では、発光部１７は平板状をしていたが、楕円球状をした電球状（釣り鐘状）をしていても良い。以下、電球状の発光部を用いた例を変形例１として説明する。
【００３７】
図７は、変形例１に係る照明装置を示す図である。
照明装置２００は、実施の形態と同様に、照明器具３と、ＬＥＤランプ２０１を備える。ＬＥＤランプ２０１は、発光部２０３と本体部１９とを備え、発光部２０３がケーブル２０５を介して接続されている。なお、本変形例でも、ケーブル２０５は、本体部１９の内部に収納され、その引き出し量（本体部１９と発光部２０３との距離）を変更することができる。
【００３８】
図８は、変形例１に係る発光部を断面図である。
発光部２０３は、ＬＥＤ素子２Ｌｎ（図６では、「２Ｌ１」，「２Ｌ２」，「２Ｌ３」が現れている。）を有する発光モジュール２０７と、有底筒状を有し且つ底部分の外面に発光モジュール２０７を搭載する搭載部材２０９と、搭載部材２０９に取着され且つ発光モジュール２０７を覆うグローブ２１１と、搭載部材２０９の開口を塞ぎ且つケーブル２０５を固定する蓋部材２１３とを有する。
【００３９】
発光モジュール２０７は、複数のＬＥＤ素子２Ｌｎと、基板２２１と、波長変換部材２Ｒｎ（「ｎ」は、ＬＥＤ素子２Ｌｎの「ｎ」に対応し、図６では、「２Ｒ１」，「２Ｒ２」，「２Ｒ３」が現れている。）とを備える。
なお、第１の実施の形態では、１つの波長変換部材３１ですべてのＬＥＤ素子Ｌｎを覆っていたが、変形例１に係る波長変換部材２Ｒｎは、１つのＬＥＤ素子２Ｌｎを覆っており、ＬＥＤ素子２Ｌｎの個数分あるが、その構成等は、実施の形態と同じである。
【００４０】
搭載部材２０９は、外観視コーン状をした中空状の金属材料からなると共に、発光モジュール２０７の発光時に生じる熱を基板２２１から搭載部材２０９に伝え、当該搭載部材２０９から放熱している。
なお、底部分２２３には、発光モジュール２０７と本体部１９側の回路ユニット４７とを接続する配線２３１，２３３用の貫通孔２２５，２２７が形成されている。なお、ケーブル２０５は一対の配線２３１，２３３から構成されている。
【００４１】
グローブ２１１は、実施の形態と同様に、透光性材料により構成されている。
蓋部材２１３は、その厚み方向に貫通する貫通孔２３５を有し、当該貫通孔２３５に挿通されたケーブル２０５が、当該蓋部材２１３に固着剤２３７により密閉状に固着されている。
（２）構造
実施の形態では、発光部は平板状をしていたが、例えば、反射機能を有する構造や導光板を有する構造としても良い。以下、反射機能（反射板）を有する例を変形例２及び変形例３として、導光板を有する例を変形例４として、それぞれ説明する。
【００４２】
図９は、変形例２に係る照明装置を示す図である。
照明装置３００は、実施の形態と同様に、照明器具３とＬＥＤランプ３０１とを備える。ＬＥＤランプ３０１は、発光部３０３と本体部１９とを備え、発光部３０３がケーブル３０５を介して接続されている。
なお、本変形例でも、ケーブル３０５は、本体部１９の内部に収納され、その引き出し量（本体部１９と発光部３０３との距離）を変更することができる。
【００４３】
発光部３０３は、発光モジュール３０７と、発光モジュール３０７を搭載し且つ発光モジュール３０７からの光を所定方向に反射させる反射板３０９とを有する。
反射板３０９は、その内面が反射面３０９ａとなっており、例えば、反射膜が形成されていたり、金属材料の場合は鏡面仕上げ加工されていたりしている。なお、ケーブル３０５の一端が反射板３０９に固定され、ケーブル３０５を構成する一対の配線が発光モジュールに接続されている。
【００４４】
図１０は、変形例３に係る照明装置を示す図である。
照明装置３３０は、実施の形態と同様に、照明器具３とＬＥＤランプ３３１とを備える。ＬＥＤランプ３３１は、発光部３３３と本体部３３５とを備え、発光部３３３がケーブル３３７を介して接続されている。なお、本変形例でも、ケーブル３３７は、本体部３３５の内部に収納され、その引き出し量（本体部３３５と発光部３３３との距離）を変更することができる。
【００４５】
本体部３３５は、筒体３３９と、筒体３３９の一端を塞ぐ蓋体３４１と、筒体３３９の他端に装着された口金（図示省略）と、筒体３３９と蓋体３４１とから構成される筐体内に収納された回路ユニット（図示省略）と巻取り手段（図示省略）とを備える。
実施の形態では蓋体４３が筒体４１に対して回転自在に装着され、ケーブル２１が蓋体４３の筒部分６１から外部へと導出されていたが、本変形例３では蓋体３４１が筒体に３３９に（回転自在か否かに関係なく）装着され、ケーブル３３７が蓋体３４１の底部分の中心軸と略一致する箇所から外部へと導出されている。
【００４６】
発光部３３３は、発光モジュール３０７（変形例２と同じである。）と、発光モジュール３０７を搭載し且つ発光モジュール３０７からの光を所定方向に反射させる反射板３４３と、反射板３４３が取着され且つ固定部材３４５を介して天井７等に固定される固定板３４７とを有する。
なお、反射板３４３の内面が反射面３４３ａとなっている。
【００４７】
図１１は、変形例４に係る発光部の変形例を示す図である。
照明装置３６０は、実施の形態と同様に、照明器具３とＬＥＤランプ３６１とを備える。ＬＥＤランプ３６１は、発光部３６３と本体部３３５（変形例３と同じである。）とを備え、発光部３６３がケーブル３６５を介して接続されている。なお、本変形例でも、ケーブル３６５は、本体部３３５の内部に収納され、その引き出し量（本体部３３５と発光部３６３との距離）を変更することができる。
【００４８】
発光部３６３は、複数の発光モジュール４Ｍｎ（ｎは整数であり、図１１では、「４Ｍ１」，「４Ｍ２」，「４Ｍ３」の３個が現れている。）と、複数の発光モジュール４Ｍｎを搭載し且つ発光モジュール４Ｍｎからの光を所定方向に出射する出射部３６７と、出射部３６７が取着され且つ固定部材３４５，３４５を介して天井７等に固定される固定板３６９とを有する。
【００４９】
出射部３６７は、ここでは、箱状をし、内面であって底面と側面に発光モジュール４Ｍｎをそれぞれ搭載している。出射部３６７の内部には、側面に搭載された発光モジュール４Ｍｎ（ここでは、「４Ｍ１」，「４Ｍ３」である。）からの光を所定方向に導光させる導光部材３７１が設けられている。
なお、出射部３６７内に設けられるものとして、導光部材３７１以外に拡散機能を有するもの等であっても良いし、導光部材と拡散部材の両方であっても良い。
（３）波長変換部材
第１の実施の形態における波長変換部材３１は全てのＬＥＤ素子Ｌｎを覆うように設けられ、第２の実施の形態における波長変換部材２Ｒｎは１つのＬＥＤ素子Ｌｎを覆うように複数設けられている。
【００５０】
このように、波長変換部材は、一つの連続した形状で全てのＬＥＤ素子Ｌｎを覆うようにしても良く、或いは、複数に分割した形状で一つ又は複数のＬＥＤ素子Ｌｎを覆うようにしても良い。
なお、複数のＬＥＤ素子を個別に覆う場合、各ＬＥＤ素子を覆う波長変換部材が他の波長変換部材から完全に独立する状態でも良いし、各ＬＥＤ素子を覆う波長変換部材が基板表面上に形成された薄肉の連結部（波長変換部材を構成する材料で同じ材料で形成されている。）により連結されていても良い。
２．回路ユニット
実施の形態や変形例１〜４では、回路ユニット４７は本体部１９等の内部に格納されていたが、例えば、発光部側に装着されていても良い。以下、回路ユニットが発光部側にある例を変形例５として説明する。
【００５１】
図１２は、変形例５に係る照明装置を示す図である。
照明装置４００は、実施の形態と同様に、照明器具３とＬＥＤランプ４０１を備える。ＬＥＤランプ４０１は、発光部４０３と本体部４０５とを備え、発光部４０３がケーブル４０７を介して接続されている。なお、本変形例でも、ケーブル４０７は、本体部４０５の内部に収納され、その引き出し量（本体部４０５と発光部４０３との距離）を変更することができる。
【００５２】
本体部４０５は、筒体４０９と、筒体４０９の一端を塞ぐ蓋体４１１と、筒体４０９の他端に装着された口金（図示省略）と、筒体４０９と蓋体４１１とから構成される筐体内に収納された巻取り手段（図示省略）とを備える。
本変形例５においても、蓋体４１１が筒体に４０９に（回転自在か否かに関係なく）装着されている。蓋体４１１の底部分は円錐状をし、その先端（蓋体４１１の中心軸と略一致する箇所）からケーブル４０７が外部へと導出されている。
【００５３】
発光部４０３は、発光モジュール２３、放熱板２５の他、回路ユニット４７を内部に格納する回路格納箱４２１内に格納されている。なお、回路格納箱４２１は、断熱部材４２３を介して放熱板２５に取着されている。
なお、ケーブル４０７の端部は、回路格納箱４２１内の回路ユニット４７に接続される。
３．ケーブル
実施の形態等は、ケーブルは、発光部１７と本体部１９とを電気的に接続する配線を利用したが、発光部と本体部とを電気的に接続する配線を、本体部と発光部とを連結するケーブルと別に設けても良い。
【００５４】
また、ケーブルの巻取り手段は、実施の形態等では本体部側に設けられていたが、例えば、発光部側に設けても良く、この場合、図１２に示すような回路格納箱内に収納すれば良い。
【産業上の利用可能性】
【００５５】
本発明は、ダウンライト用照明器具に装着することができる電球形照明光源に利用可能である。
【符号の説明】
【００５６】
３    照明器具
５    ＬＥＤランプ
９    器具本体
１１    ソケット
１７    発光部
１９    本体部
２３    ケーブル
【図１】
2011129359.tif 000003
【図２】
2011129359.tif 000004
【図３】
2011129359.tif 000005
【図４】
2011129359.tif 000006
【図５】
2011129359.tif 000007
【図６】
2011129359.tif 000008
【図７】
2011129359.tif 000009
【図８】
2011129359.tif 000010
【図９】
2011129359.tif 000011
【図１０】
2011129359.tif 000012
【図１１】
2011129359.tif 000013
【図１２】
2011129359.tif 000014